(57)【要約】【課題】簡易な入力により、食事管理を行うことができる情報処理装置および食事自己管理システムを提供すること。【解決手段】食事管理を行う情報処理装置１０は、使用者からの入力を受け付ける入力部１３と、画像を出力する出力部１４と、献立に関する献立情報、使用者の嗜好に関する嗜好情報、および、使用者の摂取すべき食事内容に関する理想食事内容情報、を記憶する記憶部１２と、出力部１４および記憶部１２を制御する制御部１１と、を備える。制御部１１は、出力部１４に複数の献立情報を出力し、嗜好情報に基づいて、複数の献立情報のうち使用者により入力された献立情報から使用者の摂取した食事内容に関する実食事内容情報を推測し、理想食事内容情報および実食事内容情報を比較して、当該比較結果に関する比較結果画像情報を出力部１４に出力する。【選択図】図１
2008004088.tif 000002
【特許請求の範囲】
【請求項１】
食事管理を行う情報処理装置であって、
使用者からの入力を受け付ける入力部と、
画像を出力する出力部と、
献立に関する献立情報、および、前記使用者の摂取すべき食事内容に関する理想食事内容情報を記憶する記憶部と、
前記出力部および前記記憶部を制御する制御部と、を備え、
前記制御部は、前記献立情報を前記出力部に複数出力し、前記出力部に出力した複数の献立情報のうち前記使用者により選択入力されたものを前記使用者の摂取した食事内容に関する実食事内容情報と判定し、前記理想食事内容情報および前記実食事内容情報を比較し、当該比較した結果に関する比較結果画像情報を前記出力部に出力することを特徴とする情報処理装置。
【請求項２】
請求項１に記載の情報処理装置において、
前記記憶部は、前記使用者の嗜好に関する嗜好情報をさらに記憶し、
前記制御部は、前記嗜好情報に基づいて、前記献立情報を前記出力部に出力することを特徴とする情報処理装置。
【請求項３】
請求項１または２に記載の情報処理装置において、
前記記憶部は、前記使用者の嗜好に関する嗜好情報をさらに記憶し、
前記制御部は、前記献立情報を前記出力部に複数出力し、前記嗜好情報に基づいて、前記出力部に出力した複数の献立情報のうち前記使用者により選択入力されたものから前記実食事内容情報を推測し、前記理想食事内容情報および前記実食事内容情報を比較し、当該比較した結果に関する比較結果画像情報を前記出力部に出力することを特徴とする情報処理装置。
【請求項４】
使用者に対して食事管理に関する食事管理情報を提供する情報処理装置と、医師端末と、サーバと、が互いに通信可能に接続された食事自己管理システムであって、
前記情報処理装置は、前記サーバおよび前記医師端末と通信を行う通信部と、
前記使用者からの入力を受け付ける入力部と、
画像を出力する出力部と、
前記出力部を制御する制御部と、を備え、
前記医師端末は、前記情報処理装置および前記サーバと通信を行う医師端末通信部と、
利用者からの入力を受け付ける医師端末入力部と、
前記医師端末通信部を介して前記サーバから受信した情報に基づいて、画像を出力する医師端末出力部と、
前記医師端末出力部を制御する医師端末制御部と、を備え、
前記サーバは、前記情報処理装置および前記医師端末と通信を行うサーバ通信部と、
献立に関する献立情報、および、前記使用者の摂取すべき食事内容に関する理想食事内容情報を記憶するサーバ記憶部と、
前記サーバ記憶部を制御するサーバ制御部と、を備え、
前記サーバ制御部は、前記サーバ通信部を介して前記献立情報を前記情報処理装置に複数送信し、前記情報処理装置に送信した複数の献立情報のうち前記使用者により選択入力されたものを前記サーバ通信部を介して前記情報処理装置から受信し、前記情報処理装置から受信した献立情報を前記使用者の摂取した食事内容に関する実食事内容情報と判定し、前記理想食事内容情報および前記実食事内容情報を比較し、当該比較した結果に関する比較結果画像情報を前記サーバ通信部を介して前記情報処理装置および前記医師端末に送信することを特徴とする食事自己管理システム。
【請求項５】
請求項４に記載の食事自己管理システムにおいて、
前記サーバ記憶部は、前記使用者の嗜好に関する嗜好情報をさらに記憶し、
前記サーバ制御部は、前記嗜好情報に基づいて、前記献立情報を前記サーバ通信部を介して前記情報処理装置に送信することを特徴とする情報処理装置。
【請求項６】
請求項４または５に記載の食事自己管理システムにおいて、
前記サーバ記憶部は、前記使用者の嗜好に関する嗜好情報をさらに記憶し、
前記サーバ制御部は、前記献立情報を前記サーバ通信部を介して前記情報処理装置に複数送信し、前記情報処理装置に送信した複数の献立情報のうち前記使用者により選択入力されたものを前記サーバ通信部を介して前記情報処理装置から受信し、前記嗜好情報に基づいて、前記情報処理装置から受信した献立情報から前記実食事内容情報を推測し、前記理想食事内容情報および前記実食事内容情報を比較し、当該比較した結果に関する比較結果画像情報を前記サーバ通信部を介して前記情報処理装置および前記医師端末に送信することを特徴とする食事自己管理システム。
【請求項７】
請求項１乃至６のいずれか１項に記載の情報処理装置において、
前記入力部を介して、前記使用者の行った運動の量に関する運動量情報を入力可能であることを特徴とする情報処理装置。
【請求項８】
糖尿病患者向けの食事管理を行う情報処理装置であって、
前記糖尿病患者からの入力を受け付ける入力部と、
画像を出力する出力部と、
献立に関する献立情報、前記糖尿病患者の嗜好に関する嗜好情報、および、前記糖尿病患者の摂取すべき食事内容に関する理想食事内容情報、を記憶する記憶部と、
前記出力部および前記記憶部を制御する制御部と、を備え、
前記制御部は、前記献立情報を前記出力部に複数出力し、前記嗜好情報に基づいて、前記出力部に出力した複数の献立情報のうち前記糖尿病患者により選択入力されたものから前記糖尿病患者の摂取した食事内容に関する実食事内容情報を推測し、前記理想食事内容情報および前記実食事内容情報を比較し、当該比較した結果に関する比較結果画像情報を前記出力部に出力することを特徴とする情報処理装置。
【発明の詳細な説明】
【技術分野】
【０００１】
本発明は、食事管理を行う情報処理装置および食事自己管理システムに関する。
【背景技術】
【０００２】
従来より、食事管理を行う情報処理装置がある（例えば、特許文献１参照）。特許文献１に記載の情報処理装置は、この情報処理装置を使用する使用者が摂取すべき栄養素別エネルギー量と、上述の使用者が摂取しようとする食品の栄養素別エネルギー含有量と、をサーバから受信する。このため、上述の情報処理装置を使用する使用者は、摂取すべき栄養素別エネルギー量と、摂取しようとする食品の栄養素別エネルギー含有量と、をサーバから情報処理装置に受信させることで、栄養素別エネルギー量を正確に把握しながら摂取する食品を選択できる。
【特許文献１】特開２００２−２２２２６３号公報
【発明の開示】
【発明が解決しようとする課題】
【０００３】
ところで、上述のように、サーバは、使用者が摂取しようとする食品の栄養素別エネルギー含有量を情報処理装置に送信するため、複数の食品と、これら複数の食品にそれぞれ含まれる栄養素別エネルギー量と、を対応付けて記憶している。ところが、使用者が摂取しようとする食品や、これら食品にそれぞれ含まれる栄養素別エネルギー量をサーバが記憶していない場合には、上述の摂取しようとする食品の栄養素別エネルギー含有量を情報処理装置に送信できない。この場合、上述の情報処理装置を使用する使用者は、摂取しようとする食品の栄養素別エネルギー含有量をサーバから情報処理装置に受信させることができないので、栄養素別エネルギー量を正確に把握しながら摂取する食品を選択できない。
【０００４】
このため、サーバは、多種多様な食品と、これら多種多様な食品のそれぞれに含まれる栄養素別エネルギー量と、を全て記憶している必要がある。ところが、世の中には、現在非常に多くの食品があり、また将来的に新たな食品が登場することも予想される。このため、上述の多種多様な食品と、上述の多種多様な食品のそれぞれに含まれる栄養素別エネルギー量と、を全てサーバに記憶することは困難であった。
【０００５】
一方、上述の多種多様な食品と、上述の多種多様な食品のそれぞれに含まれる栄養素別エネルギー量と、を全てサーバに記憶できた場合には、使用者は、莫大な種類の食品の中から摂取しようとする食品を選択して入力しなくてはならない。このため、使用者にとっては、上述の多種多様な食品の中から摂取しようとする食品を選択して入力する作業がとても煩雑なものとなる。
特に、糖尿病患者といった食事管理を徹底すべき使用者は、食事管理を行うために、食事の度に上述の摂取しようとする食品を選択して入力する作業を行う必要がある。ところが、食事の度に煩雑な入力を行うのは、使用者にとって大きな負担であるため、使用者は、入力を継続できず、食事管理を徹底できない場合があった。
【０００６】
本発明は、上述の事情に鑑みてなされたものであり、簡易な入力により、食事管理を行うことができる情報処理装置および食事自己管理システムを提供することを目的とする。
【課題を解決するための手段】
【０００７】
（１）  食事管理を行う情報処理装置であって、使用者からの入力を受け付ける入力部と、画像を出力する出力部と、献立に関する献立情報、および、前記使用者の摂取すべき食事内容に関する理想食事内容情報を記憶する記憶部と、前記出力部および前記記憶部を制御する制御部と、を備え、前記制御部は、前記献立情報を前記出力部に複数出力し、前記出力部に出力した複数の献立情報のうち前記使用者により選択入力されたものを前記使用者の摂取した食事内容に関する実食事内容情報と判定し、前記理想食事内容情報および前記実食事内容情報を比較し、当該比較した結果に関する比較結果画像情報を前記出力部に出力することを特徴とする情報処理装置。
【０００８】
（１）に記載の情報処理装置によれば、制御部で、理想食事内容情報および実食事内容情報を比較して比較結果画像情報を出力部に出力した。このため、使用者は、出力部から出力される比較結果画像情報に基づく比較結果画像により、摂取した食事内容および摂取すべき食事内容を認識でき、これら認識した食事内容に基づいて、食事内容の維持や改善といった食事管理を行うことができる。
【０００９】
また、（１）に記載の情報処理装置によれば、出力部に出力した複数の献立情報の中から使用者が実食事内容情報を選択入力するので、出力部に出力する献立情報の種類を減少させることで、選択入力する作業を簡易化できる。
【００１０】
（２）  （１）に記載の情報処理装置において、前記記憶部は、前記使用者の嗜好に関する嗜好情報をさらに記憶し、前記制御部は、前記嗜好情報に基づいて、前記献立情報を前記出力部に出力することを特徴とする情報処理装置。
【００１１】
ここで、食事内容に関して、好き嫌いのある人が多い。そして、一般的に、嫌いな食事内容に対して、好きな食事内容は、摂取される頻度が高い。
（２）に記載の情報処理装置によれば、制御部で、使用者の嗜好情報に基づいて、献立情報を出力部に出力した。このため、例えば、嗜好情報に基づいて、使用者が好きな食事内容に対応する献立情報を出力部に出力し、使用者が嫌いな食事内容に対応する献立情報を出力部に出力しないことで、出力部に出力する献立情報の種類を減少させることができ、選択入力する作業をさらに簡易化できる。
【００１２】
（３）  （１）または（２）に記載の情報処理装置において、前記記憶部は、前記使用者の嗜好に関する嗜好情報をさらに記憶し、前記制御部は、前記献立情報を前記出力部に複数出力し、前記嗜好情報に基づいて、前記出力部に出力した複数の献立情報のうち前記使用者により選択入力されたものから前記実食事内容情報を推測し、前記理想食事内容情報および前記実食事内容情報を比較し、当該比較した結果に関する比較結果画像情報を前記出力部に出力することを特徴とする情報処理装置。
【００１３】
（３）に記載の情報処理装置によれば、制御部で、使用者の嗜好情報に基づいて、出力部に出力した複数の献立情報のうち使用者により選択入力されたものから実食事内容情報を推測した。このため、出力部に出力した複数の献立情報の中に、使用者が実際に摂取した食事内容に関する情報がなくても、使用者が実際に摂取した食事内容に近い実食事内容情報を推測して、理想食事内容情報と比較できる。よって、出力部に出力する献立情報の種類をさらに減少させることで、選択入力する作業をさらに簡易化できる。
【００１４】
（４）  使用者に対して食事管理に関する食事管理情報を提供する情報処理装置と、医師端末と、サーバと、が互いに通信可能に接続された食事自己管理システムであって、前記情報処理装置は、前記サーバおよび前記医師端末と通信を行う通信部と、前記使用者からの入力を受け付ける入力部と、画像を出力する出力部と、前記出力部を制御する制御部と、を備え、前記医師端末は、前記情報処理装置および前記サーバと通信を行う医師端末通信部と、利用者からの入力を受け付ける医師端末入力部と、前記医師端末通信部を介して前記サーバから受信した情報に基づいて、画像を出力する医師端末出力部と、前記医師端末出力部を制御する医師端末制御部と、を備え、前記サーバは、前記情報処理装置および前記医師端末と通信を行うサーバ通信部と、献立に関する献立情報、および、前記使用者の摂取すべき食事内容に関する理想食事内容情報を記憶するサーバ記憶部と、前記サーバ記憶部を制御するサーバ制御部と、を備え、前記サーバ制御部は、前記サーバ通信部を介して前記献立情報を前記情報処理装置に複数送信し、前記情報処理装置に送信した複数の献立情報のうち前記使用者により選択入力されたものを前記サーバ通信部を介して前記情報処理装置から受信し、前記情報処理装置から受信した献立情報を前記使用者の摂取した食事内容に関する実食事内容情報と判定し、前記理想食事内容情報および前記実食事内容情報を比較し、当該比較した結果に関する比較結果画像情報を前記サーバ通信部を介して前記情報処理装置および前記医師端末に送信することを特徴とする食事自己管理システム。
【００１５】
（４）に記載の食事自己管理システムによれば、サーバのサーバ制御部で、実食事内容情報の推測や、実食事内容情報および理想食事内容情報の比較を行った。このため、情報処理装置の制御部は、上述の推測および比較を行わないので、高い演算処理能力を必要としない。
また、サーバのサーバ記憶部で、献立情報、嗜好情報、および理想食事内容情報を記憶する。このため、情報処理装置は、これらの情報を記憶しないので、これらの情報を記憶する記憶部を必要としない。
以上のように、情報処理装置は、高い演算処理能力を有する制御部や、献立情報、嗜好情報、および理想食事内容情報を記憶する記憶部を必要としない。したがって、低い演算処理能力を有する制御部を備え、上述の情報を記憶する記憶部を備えない情報処理装置であっても、使用者は、この情報処理装置を利用して、食事管理を行うことができる。すなわち、能力の低い情報処理装置であっても、食事自己管理システムに用いることができる。
【００１６】
また、（４）に記載の食事自己管理システムによれば、情報処理装置およびサーバに互いに通信可能に接続された医師端末に、医師端末入力部および医師端末出力部を設けた。このため、使用者から離れた場所であっても、理想食事内容情報および実食事内容情報を比較した結果を認識できるとともに、使用者に食事内容の指導を行うことができる。
【００１７】
（５）  （４）に記載の食事自己管理システムにおいて、前記サーバ記憶部は、前記使用者の嗜好に関する嗜好情報をさらに記憶し、前記サーバ制御部は、前記嗜好情報に基づいて、前記献立情報を前記サーバ通信部を介して前記情報処理装置に送信することを特徴とする情報処理装置。
【００１８】
（５）に記載の食事自己管理システムによれば、上述した効果と同様の効果がある。
【００１９】
（６）  （４）または（５）に記載の食事自己管理システムにおいて、前記サーバ記憶部は、前記使用者の嗜好に関する嗜好情報をさらに記憶し、前記サーバ制御部は、前記献立情報を前記サーバ通信部を介して前記情報処理装置に複数送信し、前記情報処理装置に送信した複数の献立情報のうち前記使用者により選択入力されたものを前記サーバ通信部を介して前記情報処理装置から受信し、前記嗜好情報に基づいて、前記情報処理装置から受信した献立情報から前記実食事内容情報を推測し、前記理想食事内容情報および前記実食事内容情報を比較し、当該比較した結果に関する比較結果画像情報を前記サーバ通信部を介して前記情報処理装置および前記医師端末に送信することを特徴とする食事自己管理システム。
【００２０】
（６）に記載の食事自己管理システムによれば、上述した効果と同様の効果がある。
【００２１】
（７）  （１）乃至（６）のいずれかに記載の情報処理装置において、前記入力部を介して、前記使用者の行った運動の量に関する運動量情報を入力可能であることを特徴とする情報処理装置。
【００２２】
（７）に記載の情報処理装置によれば、入力部を介して、運動量情報を入力できる。このため、制御部やサーバ制御部は、理想食事内容情報および実食事内容情報を比較する際に運動量情報を参照することで、使用者の行った運動を考慮して、理想的な食事内容と、使用者の摂取した食事内容と、を比較できる。すなわち、使用者は、摂取すべき食事内容と、摂取した食事内容と、行った運動の量と、を認識し、これら認識した情報に基づいて、食事内容の維持や改善といった食事管理を行うことができる。
【００２３】
（８）  糖尿病患者向けの食事管理を行う情報処理装置であって、前記糖尿病患者からの入力を受け付ける入力部と、画像を出力する出力部と、献立に関する献立情報、前記糖尿病患者の嗜好に関する嗜好情報、および、前記糖尿病患者の摂取すべき食事内容に関する理想食事内容情報、を記憶する記憶部と、前記出力部および前記記憶部を制御する制御部と、を備え、前記制御部は、前記献立情報を前記出力部に複数出力し、前記嗜好情報に基づいて、前記出力部に出力した複数の献立情報のうち前記糖尿病患者により選択入力されたものから前記糖尿病患者の摂取した食事内容に関する実食事内容情報を推測し、前記理想食事内容情報および前記実食事内容情報を比較し、当該比較した結果に関する比較結果画像情報を前記出力部に出力することを特徴とする情報処理装置。
【００２４】
（８）に記載の情報処理装置によれば、上述した効果と同様の効果がある。
【発明の効果】
【００２５】
本発明によれば、使用者は、情報処理装置の出力部から出力される比較結果画像情報に基づく比較結果画像により、摂取した食事内容および摂取すべき食事内容を認識でき、これら認識した食事内容に基づいて、食事内容の維持や改善といった食事管理を行うことができる。
【００２６】
また、本発明によれば、情報処理装置の出力部に出力した複数の献立情報の中から使用者が実食事内容情報を選択入力するので、情報処理装置の出力部に出力する献立情報の種類を減少させることで、選択入力する作業を簡易化できる。
【００２７】
また、本発明の具体的態様によれば、情報処理装置の制御部またはサーバのサーバ制御部で、使用者の嗜好情報に基づいて、情報処理装置の出力部に出力した複数の献立情報のうち使用者により選択入力されたものから実食事内容情報を推測した。このため、情報処理装置の出力部に出力した複数の献立情報の中に、使用者が実際に摂取した食事内容に関する情報がなくても、使用者が実際に摂取した食事内容に近い実食事内容情報を推測して、理想食事内容情報と比較できる。よって、情報処理装置の出力部に出力する献立情報の種類をさらに減少させることで、選択入力する作業をさらに簡易化できる。
【発明を実施するための最良の形態】
【００２８】
以下、本発明の実施形態を図面に基づいて説明する。なお、以下の実施形態および変形例の説明にあたって、同一構成要件については同一符号を付し、その説明を省略もしくは簡略化する。
＜第１実施形態＞
図１は、本発明の第１実施形態に係る情報処理装置１０の構成を示すブロック図である。
情報処理装置１０は、糖尿病患者である使用者が食事管理を行うために用いるものであり、制御部１１と、記憶部１２と、入力部１３と、出力部１４と、を備える。この情報処理装置１０は、例えば、コンピュータであってよい。
【００２９】
制御部１１は、入力部１３からの入力に基づいて、記憶部１２および出力部１４を制御する。
入力部１３は、使用者の入力を受け付ける。この入力部１３は、例えば、キーボードやマウス、あるいはタッチパネル等であってよい。
出力部１４は、情報処理装置１０の演算処理結果等の画像を出力する。この出力部１４は、例えば、ＣＲＴディスプレイや液晶ディスプレイ等であってよい。
【００３０】
記憶部１２は、食事管理に必要な種々の情報を記憶する。この記憶部１２は、例えば、ＲＡＭ（Random  Access  Memory）やＲＯＭ（Read  Only  Memory）、あるいはハードディスク等であってよい。
【００３１】
上述の記憶部１２が記憶する食事管理に必要な種々の情報として、献立に関する献立情報と、使用者の嗜好に関する嗜好情報と、使用者の摂取すべき食事内容に関する理想食事内容情報と、がある。
【００３２】
まず、表１を参照して、上述の献立情報について説明する。
【表１】
2008004088.tif 000003
【００３３】
表１に示すように、献立情報は、主食、副食、副食調理方法、飲料、野菜摂取量、間食、食事満足度、および運動量の８つに分類される。
【００３４】
主食に分類される献立情報として、ご飯類に関するご飯類データと、麺類に関する麺類データと、パン類に関するパン類データと、がある。これら各データは、図２のご飯類、麺類、およびパン類に関する各画像データを含む。
【００３５】
副食に分類される献立情報として、牛肉に関する牛肉データと、豚肉に関する豚肉データと、鶏肉に関する鶏肉データと、魚介類に関する魚介類データと、卵に関する卵データと、豆および野菜類に関する豆・野菜類データと、がある。これら各データは、図３の牛肉、豚肉、鶏肉、魚介類、卵、および豆・野菜類に関する各画像データを含む。
【００３６】
副食調理方法に分類される献立情報として、焼く調理方法に関する焼く方法データと、炒める調理方法に関する炒める方法データと、揚げる調理方法に関する揚げる方法データと、煮る調理方法に関する煮る方法データと、蒸す調理方法に関する蒸す方法データと、生のままの調理方法に関する生のままの方法データと、がある。これら各データは、図４の焼く、炒める、揚げる、煮る、蒸す、および生のままに関する各画像データを含む。
【００３７】
飲料に分類される献立情報として、味噌汁に関する味噌汁データと、スープに関するスープデータと、味噌汁およびスープを除く水といった飲み物に関するその他データと、がある。これら各データは、図５の味噌汁、スープ、およびその他に関する各画像データを含む。
【００３８】
野菜摂取量に分類される献立情報として、十分な野菜摂取量に関する野菜量十分データと、普通の野菜摂取量に関する野菜量普通データと、不足した野菜摂取量に関する野菜量不足データと、がある。これら各データは、図６の十分、普通、および不足に関する各画像データを含む。
【００３９】
間食に分類される献立情報として、菓子類に関する菓子類データと、果物に関する果物データと、間食無しに関する間食無しデータと、がある。これら各データは、図７の菓子類、果物、および無しに関する各画像データを含む。
【００４０】
食事満足度に分類される献立情報として、食事の摂取量に満足していることに関する食事満足データと、食事の摂取量が普通であることに関する食事普通データと、食事の摂取量に不満があることに関する食事不満データと、がある。これら各データは、図８の満足、普通、および不満に関する各画像データを含む。
【００４１】
運動量に分類される献立情報として、たっぷり運動を行ったことに関するたっぷりの運動量データと、軽い運動を行ったことに関する軽い運動量データと、運動を行っていないことに関する運動量無しデータと、がある。これら各データは、図９のたっぷり、軽く、および無しに関する各画像データを含む。
【００４２】
ところで、上述の献立情報で表される献立には、それぞれ、表２に示す栄養素が含まれる。
【表２】
2008004088.tif 000004
【００４３】
表２に示すように、上述の献立情報で表される献立に含まれる栄養素は、大別すると、炭水化物、たんぱく質、脂肪、ビタミンおよびミネラル、およびその他の５種類である。糖尿病患者は、これら５種類の栄養素をバランスよく摂取する必要がある。このため、糖尿病患者は、炭水化物を主に含む第１食品類および第２食品類と、たんぱく質を主に含む第３食品類および第４食品類と、脂肪を主に含む第５食品類と、ビタミンおよびミネラルを主に含む第６食品類と、その他の栄養素を含む調味料と、を所定の量ずつ摂取する必要がある。
【００４４】
次に、表３を参照して、上述の理想食事内容情報について説明する。
【表３】
2008004088.tif 000005
【００４５】
表３に示すように、理想食事内容情報とは、使用者が１日に摂取すべき各食品類の分量のことである。ここで、表３中の数値は、８０キロカロリーを１単位として求めたものである。
例えば、１日に摂取すべきエネルギー量が１６００キロカロリー、すなわち２０単位であれば、使用者は、第１食品類を１１単位、第２食品類を１単位、第３食品類を４単位、第４食品類を１．５単位、第５食品類を１単位、第６食品類を１単位、そして調味料を０．５単位摂取すればよい。
【００４６】
次に、表４〜１２を参照して、上述の嗜好情報について説明する。
嗜好情報は、献立情報と対になるものであり、使用者が１度の食事に摂取する表２の各食品類の分量を、使用者の過去の食事内容の統計から決定されたものである。
【００４７】
まず、献立情報のうち主食に分類されるものと対になる嗜好情報について説明する。
例えば、使用者がご飯類としてカレーライスを好む場合について、表４を参照して説明する。ここで、使用者が１度の食事で摂取するカレーライスには、ご飯１５０グラム、豚肩ロース肉８０グラム、じゃがいも５５グラム、玉ねぎ６０グラム、にんじん３０グラム、植物油１０グラム、カレールウ１８グラムが含まれるものとする。
【表４】
2008004088.tif 000006
【００４８】
ご飯５０グラムには、１単位の第１食品類が含まれる。また、じゃがいも１１０グラムには、１単位の第１食品類が含まれる。したがって、使用者は、カレーライスにより、第１食品類を３．５単位摂取する。
また、豚肩ロース肉４０グラムには、１単位の第３食品類が含まれる。したがって、使用者は、カレーライスにより、第３食品類を２単位摂取する。
また、にんじん３００グラムには、１単位の第６食品類が含まれる。また、玉ねぎ３００グラムには、１単位の第６食品類が含まれる。したがって、使用者は、カレーライスにより、第６食品類を０．３単位摂取する。
また、植物油１０グラムには、１単位の第５食品類が含まれる。したがって、使用者は、カレーライスにより、第５食品類を１単位摂取する。
また、カレールウ１５グラムには、１単位の調味料が含まれる。したがって、使用者は、カレーライスにより、調味料を１．２単位摂取する。
【００４９】
以上により、使用者がご飯類としてカレーライスを好む場合には、献立情報としてのご飯類データと対になる嗜好情報は、第１食品類が３．５単位、第３食品類が２単位、第５食品類が１単位、第６食品類が０．３単位、調味料が１．２単位となる。
【００５０】
また、例えば、使用者が麺類としてかけうどんを好む場合について、表５を参照して説明する。ここで、使用者が１度の食事で摂取するかけうどんには、うどん２４０グラム、めんつゆ３００ミリリットルが含まれるものとする。
【表５】
2008004088.tif 000007
【００５１】
うどん８０グラムには、１単位の第１食品類が含まれる。したがって、使用者は、かけうどんにより、第１食品類を３単位摂取する。
また、めんつゆ３０ミリリットルには、１単位の調味料が含まれる。したがって、使用者は、かけうどんにより、調味料を０．１単位摂取する。
【００５２】
以上により、使用者が麺類としてかけうどんを好む場合には、献立情報としての麺類データと対になる嗜好情報は、第１食品類が３単位、調味料が０．１単位となる。
【００５３】
また、例えば、使用者がパン類としてフレンチトーストを好む場合について、表６を参照して説明する。ここで、使用者が１度の食事で摂取するフレンチトーストには、食パン９０グラム、卵２５グラム、牛乳１２ミリリットル、砂糖１０グラムが含まれるものとする。
【表６】
2008004088.tif 000008
【００５４】
食パン３０グラムには、１単位の第１食品類が含まれる。したがって、使用者は、フレンチトーストにより、第１食品類を３単位摂取する。
また、卵５０グラムには、１単位の第３食品類が含まれる。したがって、使用者は、フレンチトーストにより、第３食品類を０．５単位摂取する。
また、牛乳１２０ミリリットルには、１単位の第４食品類が含まれる。したがって、使用者は、フレンチトーストにより、第４食品類を０．１単位摂取する。
また、砂糖２０グラムには、１単位の調味料が含まれる。したがって、使用者は、フレンチトーストにより、調味料を０．５単位摂取する。
【００５５】
以上により、使用者がパン類としてフレンチトーストを好む場合には、献立情報としてのパン類データと対になる嗜好情報は、第１食品類が３単位、第３食品類が０．５単位、第４食品類が０．１単位、調味料が０．５単位となる。
【００５６】
次に、献立情報のうち副食に分類されるものと対になる嗜好情報について説明する。
例えば、使用者が牛肉として脂身の多い牛もも肉を好む場合について、表７を参照して説明する。ここで、使用者が１度の食事で摂取する牛もも肉には、牛もも肉のうち脂身の部分２０グラム、牛もも肉のうち脂身を除く部分１２０グラムが含まれるものとする。
【表７】
2008004088.tif 000009
【００５７】
牛もも肉のうち脂身の部分１０グラムには、１単位の第５食品類が含まれる。したがって、使用者は、脂身の多い牛もも肉により、第５食品類を２単位摂取する。
牛もも肉のうち脂身を除いた部分４０グラムには、１単位の第３食品類が含まれる。したがって、使用者は、脂身の多い牛もも肉により、第３食品類を３単位摂取する。
【００５８】
以上により、使用者が牛肉として脂身の多い牛もも肉を好む場合には、献立情報としての牛肉データと対になる嗜好情報は、第３食品類が３単位、第５食品類が２単位となる。
【００５９】
上述の牛肉データと同様に、豚肉データ、鶏肉データ、魚介類データ、卵データ、および豆・野菜類データについても、それぞれ、対になる嗜好情報がある。
【００６０】
次に、献立情報のうち副食調理方法に分類されるものと対になる嗜好情報について説明する。
表８に示すように、例えば、献立情報としての焼く方法データと対になる嗜好情報は、第５食品類が−０．２単位となる。これは、副食を焼くことにより、副食に含まれる脂が落ちて、摂取する脂肪が減少するからである。
また、例えば、献立情報としての炒める方法データと対になる嗜好情報は、第５食品類が０．２単位となる。これは、副食を炒めることにより、副食に脂が付加されて、摂取する脂肪が増加するからである。
【表８】
2008004088.tif 000010
【００６１】
上述の焼く方法データおよび炒める方法データと同様に、揚げる方法データ、煮る方法データ、蒸す方法データ、および生のままの方法データについても、それぞれ、対になる嗜好情報がある。
【００６２】
次に、献立情報のうち飲料に分類されるものと対になる嗜好情報について説明する。
例えば、使用者が味噌汁として豆腐入りの味噌汁を好む場合について、表９を参照して説明する。ここで、使用者が１度の食事で摂取する豆腐入りの味噌汁には、豆腐２０グラム、味噌１０グラムが含まれるものとする。
【表９】
2008004088.tif 000011
【００６３】
豆腐１００グラムには、１単位の第３食品類が含まれる。したがって、使用者は、豆腐入りの味噌汁により、第３食品類を０．２単位摂取する。
また、味噌４０グラムには、１単位の調味料が含まれる。したがって、使用者は、豆腐入りの味噌汁により、調味料を０．２５単位摂取する。
【００６４】
以上により、使用者が味噌汁として豆腐入りの味噌汁を好む場合には、献立情報としての味噌汁データと対になる嗜好情報は、第３食品類が０．２単位、調味料が０．２５単位となる。
【００６５】
上述の味噌汁データと同様に、スープデータ、およびその他データについても、それぞれ、対になる嗜好情報がある。
【００６６】
次に、献立情報のうち野菜摂取量に分類されるものと対になる嗜好情報について説明する。
例えば、使用者が十分な量の野菜を摂取する場合について、表１０を参照して説明する。ここで、使用者が１度の食事で摂取する十分な量の野菜には、とうもろこし１０グラム、トマト１５０グラム、ブロッコリー１５０グラム、レタス１５０グラムが含まれるものとする。
【表１０】
2008004088.tif 000012
【００６７】
とうもろこし１００グラムには、１単位の第１食品類が含まれる。したがって、使用者は、十分な量の野菜により、第１食品類を０．１単位摂取する。
また、トマト３００グラムには、１単位の第６食品類が含まれる。また、ブロッコリー３００グラムには、１単位の第６食品類が含まれる。また、レタス３００グラムには、１単位の第６食品類が含まれる。したがって、使用者は、十分な量の野菜により、第６食品類を１．５単位摂取する。
【００６８】
以上により、使用者が十分な量の野菜を摂取する場合には、献立情報としての野菜量十分データと対になる嗜好情報は、第１食品類が０．１単位、第８食品類が１．５単位となる。
【００６９】
上述の野菜量十分データと同様に、野菜量普通データおよび野菜量不足データについても、それぞれ、対になる嗜好情報がある。
【００７０】
次に、献立情報のうち間食に分類されるものと対になる嗜好情報について説明する。
例えば、使用者が果物としてみかんを好む場合について、表１１を参照して説明する。ここで、使用者が１度に摂取するみかんは、１００グラムであるものとする。
【表１１】
2008004088.tif 000013
【００７１】
みかん２００グラムには、１単位の第２食品類が含まれる。したがって、使用者は、みかんにより、第２食品類を０．５単位摂取する。
以上により、使用者が果物としてみかんを好む場合には、献立情報としての果物データと対になる嗜好情報は、第２食品類が０．５単位となる。
【００７２】
上述の果物データと同様に、菓子類データについても、対になる嗜好情報がある。また、献立情報としての間食無しデータと対になる嗜好情報は、各食品類が０単位である。
【００７３】
次に、献立情報のうち食事満足度に分類されるものと対になる嗜好情報について説明する。
表１２に示すように、例えば、献立情報としての食事満足データと対になる嗜好情報は、第１食品類から第６食品類および調味料の量をそれぞれ１．１倍するものとなる。
また、例えば、献立情報としての食事普通データと対になる嗜好情報は、第１食品類から第６食品類および調味料の量をそれぞれ１．０倍するものとなる。
また、例えば、献立情報としての食事不満データと対になる嗜好情報は、第１食品類から第６食品類および調味料の量をそれぞれ０．９倍するものとなる。
【表１２】
2008004088.tif 000014
【００７４】
次に、献立情報のうち運動量に分類されるものと対になる嗜好情報について説明する。
表１３に示すように、例えば、献立情報としてのたっぷりの運動量データと対になる嗜好情報は、第１食品類から第６食品類および調味料の量をそれぞれ０．８倍するものとなる。
また、例えば、献立情報としての軽い運動量データと対になる嗜好情報は、第１食品類から第６食品類および調味料の量をそれぞれ０．９倍するものとなる。
また、例えば、献立情報としての運動量無しデータと対になる嗜好情報は、第１食品類から第６食品類および調味料の量をそれぞれ１．０倍するものとなる。
【表１３】
2008004088.tif 000015
【００７５】
以上の情報処理装置１０の動作について、図１０に基づいて説明する。
ステップＳ２０では、制御部１１が、使用者の摂取した食事内容に関する実食事内容情報について、各食品類の分量を０にリセットする。
ここで、実食事内容情報とは、表３の理想食事内容情報と対になるものであり、使用者が１日に摂取した各食品類の分量のことである。
【００７６】
ステップＳ３０では、制御部１１が、主食に関する実食事内容情報を推測する。なお、この動作の詳細については、図１１を用いて後述する。
ステップＳ４０では、制御部１１が、副食に関する実食事内容情報を推測する。なお、この動作の詳細については、図１２を用いて後述する。
ステップＳ５０では、制御部１１が、副食調理方法に関する実食事内容情報を推測する。なお、この動作の詳細については、図１３を用いて後述する。
ステップＳ６０では、制御部１１が、飲料に関する実食事内容情報を推測する。なお、この動作の詳細については、図１４を用いて後述する。
ステップＳ７０では、制御部１１が、野菜摂取量に関する実食事内容情報を推測する。なお、この動作の詳細については、図１５を用いて後述する。
ステップＳ８０では、制御部１１が、間食に関する実食事内容情報を推測する。なお、この動作の詳細については、図１６を用いて後述する。
ステップＳ９０では、制御部１１が、食事満足度に関する実食事内容情報を推測する。なお、この動作の詳細については、図１７を用いて後述する。
ステップＳ１００では、制御部１１が、運動量に関する実食事内容情報を推測する。なお、この動作の詳細については、図１８を用いて後述する。
【００７７】
ステップＳ１１０では、制御部１１が、食事内容の判定を実行することを示す画像と、食事内容の判定を実行しないことを示す画像と、をそれぞれ出力部１４から出力し、入力部１３からの入力に基づいて、いずれが選択入力されたかを判別する。食事内容の判定を実行することを示す画像が選択されたと判別した場合、ステップＳ１２０の処理に移り、食事内容の判定を実行しないことを示す画像が選択されたと判定した場合、ステップＳ３０の処理に移る。
【００７８】
ステップＳ１２０では、制御部１１が、全ての食事内容に関する実食事内容情報を推測する。具体的には、ステップＳ３０で推測した主食に関する実食事内容情報と、ステップＳ４０で推測した副食に関する実食事内容情報と、ステップＳ５０で推測した副食調理方法に関する実食事内容情報と、ステップＳ６０で推測した飲料に関する実食事内容情報と、ステップＳ７０で推測した野菜摂取量に関する実食事内容情報と、ステップＳ８０で推測した間食に関する実食事内容情報と、ステップＳ９０で推測した食事満足度に関する実食事内容情報と、ステップ１００で推測した運動量に関する実食事内容情報と、に基づいて、全ての食事内容に関する実食事内容情報を推測する。
ステップＳ１００では、制御部１１が、使用者の行った運動の運動量に基づいて、実食事内容情報を推測する。なお、この動作の詳細については、図１７を用いて後述する。
【００７９】
ステップＳ１３０では、制御部１１が、理想食事内容情報を記憶部１２から読み出し、この理想食事内容情報と、ステップＳ１００にて推測した全ての食事内容に関する実食事内容情報と、を比較する。
具体的には、例えば、表３に示したように、１日に摂取すべきエネルギー量が１６００キロカロリー、すなわち２０単位であれば、記憶部１２から読み出した理想食事内容情報は、第１食品類が１１単位、第２食品類が１単位、第３食品類が４単位、第４食品類が１．５単位、第５食品類が１単位、第６食品類が１単位、調味料が０．５単位である。そして、理想食事内容情報の各食品類の分量と、ステップ１００で推測した実食事内容情報の各食品類の分量と、を比較する。
【００８０】
ステップＳ１４０では、制御部１１が、ステップＳ１３０で比較した比較結果に関する比較結果画像情報を出力部１４に出力する。
具体的には、例えば、ステップＳ１３０で比較した結果、実食事内容情報の第１食品類の分量が、理想食事内容情報の第１食品類の分量より多ければ、表２に示したように、栄養素のうち炭水化物の摂取量が多すぎることになる。このため、この炭水化物を主に含む穀物、いも、炭水化物の多い野菜と種実、または大豆を除く豆等を原材料とする主食の摂取量が多すぎるとの比較結果画像を制御部１１が出力部１４から出力させる。
また、例えば、ステップＳ１３０で比較した結果、実食事内容情報の第３食品類の分量が、理想食事内容情報の第３食品類の分量より多ければ、表２に示したように、栄養素のうちたんばく質の摂取量が多すぎることになる。このため、このたんぱく質を主に含む魚介類、肉類、卵、チーズ、または大豆等を原材料とする副食の摂取量が多すぎるとの比較結果画像を制御部１１が出力部１４から出力させる。
【００８１】
上述のステップＳ３０では、制御部１１が、図１１に示す動作を行う。
具体的には、ステップＳ３１では、制御部１１が、献立情報のうち主食に分類されるご飯類データ、麺類データ、およびパン類データを記憶部１２から読み出す。
ステップＳ３２では、制御部１１が、ステップＳ３１で読み出したご飯類データ、麺類データ、およびパン類データに基づいて、図２のご飯類、麺類、およびパン類に関する画像をそれぞれ出力部１４から出力させる。
ステップＳ３３では、制御部１１が、入力部１３からの入力に基づいて、ご飯類データ、麺類データ、およびパン類データのうちいずれが選択入力されたかを判別する。
ステップＳ３４では、制御部１１が、ステップＳ３３で判別した献立情報に基づいて、この判別した献立情報と対になる嗜好情報を記憶部１２から読み出す。
ステップＳ３５では、制御部１１が、ステップＳ３４で読み出した嗜好情報に基づいて、主食に関する実食事内容情報を推測する。
【００８２】
また、上述のステップＳ４０では、制御部１１が、図１２に示す動作を行う。
具体的には、ステップＳ４１では、制御部１１が、献立情報のうち副食に分類される牛肉データ、豚肉データ、鶏肉データ、魚介類データ、卵データ、および豆・野菜類データを記憶部１２から読み出す。
ステップＳ４２では、制御部１１が、ステップＳ４１で読み出した牛肉データ、豚肉データ、鶏肉データ、魚介類データ、卵データ、および豆・野菜類データに基づいて、図３の牛肉、豚肉、鶏肉、魚介類、卵、および豆・野菜類に関する画像をそれぞれ出力部１４から出力させる。
ステップＳ４３では、制御部１１が、入力部１３からの入力に基づいて、牛肉データ、豚肉データ、鶏肉データ、魚介類データ、卵データ、および豆・野菜類データのうちいずれが選択入力されたか判別する。
ステップＳ４４では、制御部１１が、ステップＳ４３で判別した献立情報に基づいて、この判別した献立情報と対になる嗜好情報を記憶部１２から読み出す。
ステップＳ４５では、制御部１１が、ステップＳ４４で読み出した嗜好情報に基づいて、副食に関する実食事内容情報を推測する。
【００８３】
また、上述のステップＳ５０では、制御部１１が、図１３に示す動作を行う。
具体的には、ステップＳ５１では、制御部１１が、献立情報のうち副食調理方法に分類される焼く方法データ、炒める方法データ、揚げる方法データ、煮る方法データ、蒸す方法データ、および生のままの方法データを記憶部１２から読み出す。
ステップＳ５２では、制御部１１が、ステップＳ５１で読み出した焼く方法データ、炒める方法データ、揚げる方法データ、煮る方法データ、蒸す方法データ、および生のままの方法データに基づいて、図４の焼く、炒める、揚げる、煮る、蒸す、および生のままに関する画像をそれぞれ出力部１４から出力させる。
ステップＳ５３では、制御部１１が、入力部１３からの入力に基づいて、焼く方法データ、炒める方法データ、揚げる方法データ、煮る方法データ、蒸す方法データ、および生のままの方法データのうちいずれが選択入力されたか判別する。
ステップＳ５４では、制御部１１が、ステップＳ５３で判別した献立情報に基づいて、この判別した献立情報と対になる嗜好情報を記憶部１２から読み出す。
ステップＳ５５では、制御部１１が、ステップＳ５４で読み出した嗜好情報に基づいて、副食調理方法に関する実食事内容情報を推測する。
【００８４】
また、上述のステップＳ６０では、制御部１１が、図１４に示す動作を行う。
具体的には、ステップＳ６１では、制御部１１が、献立情報のうち飲料に分類される味噌汁データ、スープデータ、およびその他データを記憶部１２から読み出す。
ステップＳ６２では、制御部１１が、ステップＳ６１で読み出した味噌汁データ、スープデータ、およびその他データに基づいて、図５の味噌汁、スープ、およびその他に関する画像をそれぞれ出力部１４から出力させる。
ステップＳ６３では、制御部１１が、入力部１３からの入力に基づいて、味噌汁データ、スープデータ、およびその他データのうちいずれが選択入力されたか判別する。
ステップＳ６４では、制御部１１が、ステップＳ６３で判別した献立情報に基づいて、この判別した献立情報と対になる嗜好情報を記憶部１２から読み出す。
ステップＳ６５では、制御部１１が、ステップＳ６４で読み出した嗜好情報に基づいて、飲料に関する実食事内容情報を推測する。
【００８５】
また、上述のステップＳ７０では、制御部１１が、図１５に示す動作を行う。
具体的には、ステップＳ７１では、制御部１１が、献立情報のうち野菜摂取量に分類される野菜量十分データ、野菜量普通データ、および野菜量不足データを記憶部１２から読み出す。
ステップＳ７２では、制御部１１が、ステップＳ７１で読み出した野菜量十分データ、野菜量普通データ、および野菜量不足データに基づいて、図６の十分、普通、および不足に関する画像をそれぞれ出力部１４から出力させる。
ステップＳ７３では、制御部１１が、入力部１３からの入力に基づいて、野菜量十分データ、野菜量普通データ、および野菜量不足データのうちいずれが選択入力されたか判別する。
ステップＳ７４では、制御部１１が、ステップＳ７３で判別した献立情報に基づいて、この判別した献立情報と対になる嗜好情報を記憶部１２から読み出す。
ステップＳ７５では、制御部１１が、ステップＳ７４で読み出した嗜好情報に基づいて、野菜摂取量に関する実食事内容情報を推測する。
【００８６】
また、上述のステップＳ８０では、制御部１１が、図１６に示す動作を行う。
具体的には、ステップＳ８１では、制御部１１が、献立情報のうち間食に分類される菓子類データ、果物データ、および間食無しデータを記憶部１２から読み出す。
ステップＳ８２では、制御部１１が、ステップＳ８１で読み出した菓子類データ、果物データ、および間食無しデータに基づいて、図７の菓子類、果物、および無しに関する画像をそれぞれ出力部１４から出力させる。
ステップＳ８３では、制御部１１が、入力部１３からの入力に基づいて、菓子類データ、果物データ、および間食無しデータのうちいずれが選択入力されたか判別する。
ステップＳ８４では、制御部１１が、ステップＳ８３で判別した献立情報に基づいて、この判別した献立情報と対になる嗜好情報を記憶部１２から読み出す。
ステップＳ８５では、制御部１１が、ステップＳ８４で読み出した嗜好情報に基づいて、間食に関する実食事内容情報を推測する。
【００８７】
また、上述のステップＳ９０では、制御部１１が、図１７に示す動作を行う。
具体的には、ステップＳ９１では、制御部１１が、献立情報のうち食事満足度に分類される食事満足データ、食事普通データ、および食事不満データを記憶部１２から読み出す。
ステップＳ９２では、制御部１１が、ステップＳ９１で読み出した食事満足データ、食事普通データ、および食事不満データに基づいて、図８の満足、普通、および不満に関する画像をそれぞれ出力部１４から出力させる。
ステップＳ９３では、制御部１１が、入力部１３からの入力に基づいて、食事満足データ、食事普通データ、および食事不満データのうちいずれが選択入力されたか判別する。
ステップＳ９４では、制御部１１が、ステップＳ９３で判別した献立情報に基づいて、この判別した献立情報と対になる嗜好情報を記憶部１２から読み出す。
ステップＳ９５では、制御部１１が、ステップＳ９４で読み出した嗜好情報に基づいて、食事満足度に関する実食事内容情報を推測する。
【００８８】
また、上述のステップＳ１００では、制御部１１が、図１８に示す動作を行う。
具体的には、ステップＳ１０１では、制御部１１が、献立情報のうち運動量に分類されるたっぷりの運動量データ、軽い運動量データ、および運動量無しデータを記憶部１２から読み出す。
ステップＳ１０２では、制御部１１が、ステップＳ１０１で読み出したたっぷりの運動量データ、軽い運動量データ、および運動量無しのデータに基づいて、図９のたっぷり、軽い、および無しに関する画像をそれぞれ出力部１４から出力させる。
ステップＳ１０３では、制御部１１が、入力部１３からの入力に基づいて、たっぷりの運動量データ、軽い運動量データ、および運動量無しデータのうちいずれが選択入力されたか判別する。
ステップＳ１０４では、制御部１１が、ステップＳ１０３で判別した献立情報に基づいて、この判別した献立情報と対になる嗜好情報を記憶部１２から読み出す。
ステップＳ１０５では、制御部１１が、ステップＳ１０４で読み出した嗜好情報に基づいて、運動量に関する実食事内容情報を推測する。
【００８９】
本実施形態に係る情報処理装置１０によれば、以下の効果がある。
【００９０】
制御部１１で、理想食事内容情報および実食事内容情報を比較して比較結果画像情報を出力部１４に出力した。このため、使用者は、出力部１４から出力される比較結果画像情報に基づく比較結果画像により、摂取した食事内容および摂取すべき食事内容を認識でき、これら認識した食事内容に基づいて、食事内容の維持や改善といった食事管理を行うことができる。
【００９１】
また、出力部１４に出力した複数の献立情報の中から使用者が実食事内容情報を選択入力するので、出力部１４に出力する献立情報の種類を減少させることで、選択入力する作業を簡易化できる。
【００９２】
また、制御部１１で、使用者の嗜好情報に基づいて、出力部１４に出力した複数の献立情報のうち使用者により選択入力されたものから実食事内容情報を推測した。このため、出力部１４に出力した複数の献立情報の中に、使用者が実際に摂取した食事内容に関する情報がなくても、使用者が実際に摂取した食事内容に近い実食事内容情報を推測して、理想食事内容情報と比較できる。よって、出力部１４に出力する献立情報の種類をさらに減少させることで、選択入力する作業をさらに簡易化できる。
【００９３】
また、入力部１３を介して、運動量情報を入力できる。このため、制御部１１は、理想食事内容情報および実食事内容情報を比較する際に運動量情報を参照することで、使用者の行った運動を考慮して、理想的な食事内容と、使用者の摂取した食事内容と、を比較できる。すなわち、使用者は、摂取すべき食事内容と、摂取した食事内容と、行った運動の量と、を認識し、これら認識した情報に基づいて、食事内容の維持や改善といった食事管理を行うことができる。
【００９４】
＜第２実施形態＞
図１９は、本発明の第２実施形態に係る食事自己管理システム１の構成を示すブロック図である。
食事自己管理システム１では、情報処理装置１０Ａ、サーバ２０、および医師端末３０が互いに通信回線ネットワーク４０により通信可能に接続される。
【００９５】
情報処理装置１０Ａは、記憶部の代わりに通信部１５を備える点が第１実施形態の情報処理装置１０と異なる。
通信部１５は、通信回線ネットワーク４０と接続されて通信を実現する。
【００９６】
サーバ２０は、制御部２０１、記憶部２０２、および通信部２０３を備える。
記憶部２０２は、上述の献立情報、嗜好情報、および理想食事内容情報を記憶する。
制御部２０１は、記憶部２０２を制御する。
通信部２０３は、通信回線ネットワーク４０と接続されて通信を実現する。
【００９７】
医師端末３０は、制御部３０１、記憶部３０２、入力部３０３、出力部３０４、および通信部３０５を備える。
入力部３０３は、医師や栄養士からの入力を受け付ける。この入力部３０３は、例えば、キーボードやマウス、あるいはタッチパネル等であってよい。
出力部３０４は、医師端末３０の演算処理結果等の画像を出力する。この出力部３０４は、例えば、ＣＲＴディスプレイや液晶ディスプレイ等であってよい。
通信部３０５は、通信回線ネットワーク４０と接続されて通信を実現する。
記憶部３０２は、通信部３０５を介して入力された情報を記憶する。
制御部３０１は、入力部３０３からの入力に基づいて、記憶部３０２、および出力部３０４を制御する。
【００９８】
以上の食事自己管理システム１は、以下のように動作する。
サーバ２０は、制御部２０１により、記憶部２０２に記憶した複数の献立情報を情報処理装置１０Ａに送信する。
情報処理装置１０Ａは、制御部１１により、サーバ２０から送信された複数の献立情報に基づいて、主食や副食といった献立に関する画像をそれぞれ出力部１４から出力し、入力部１３からの入力に基づいて、出力部１４から出力した複数の献立情報のうち選択入力されたもの判別し、判別した献立情報をサーバ２０に送信する。
サーバ２０は、制御部２０１により、情報処理装置１０Ａから送信された献立情報と対になる嗜好情報を記憶部２０２から読み出し、この読み出した嗜好情報に基づいて、実食事内容情報を推測する。そして、この推測した実食事内容情報と、記憶部２０２に記憶した理想食事内容情報と、を比較して、比較結果に関する比較結果画像情報を情報処理装置１０Ａおよび医師端末３０に送信する。
情報処理装置１０Ａは、制御部１１により、サーバ２０から送信された比較結果画像情報に基づいて、比較結果画像を出力部１４から出力する。また、医師端末３０は、制御部３０１により、サーバ２０から送信された比較結果画像情報に基づいて、比較結果画像を出力部３０４から出力する。
【００９９】
以上により、使用者は、情報処理装置１０Ａの出力部１４により比較結果を認識でき、医師は、医師端末３０の出力部３０４により比較結果を認識できる。
【０１００】
本実施形態に係る食事自己管理システム１によれば、以下の効果がある。
【０１０１】
サーバ２０の制御部２０１で、実食事内容情報の推測や、実食事内容情報および理想食事内容情報の比較を行った。このため、情報処理装置１０Ａの制御部１１は、上述の推測および比較を行わないので、高い演算処理能力を必要としない。
また、サーバ２０の記憶部２０２で、献立情報、嗜好情報、および理想食事内容情報を記憶した。このため、情報処理装置１０Ａは、これらの情報を記憶しないので、これらの情報を記憶する記憶部を必要としない。
以上のように、情報処理装置１０Ａは、高い演算処理能力を有する制御部や、献立情報、嗜好情報、および理想食事内容情報を記憶する記憶部を必要としない。したがって、低い演算処理能力を有する制御部１１を備え、上述の情報を記憶する記憶部を備えない情報処理装置１０Ａであっても、使用者は、この情報処理装置１０Ａを利用して、食事管理を行うことができる。すなわち、能力の低い情報処理装置１０Ａであっても、食事自己管理システムに用いることができる。
【０１０２】
また、情報処理装置１０Ａおよびサーバ２０に互いに通信可能に接続された医師端末３０に、入力部３０３および出力部３０４を設けた。このため、使用者から離れた場所であっても、理想食事内容情報および実食事内容情報を比較した結果を認識できるとともに、使用者に食事内容の指導を行うことができる。
【０１０３】
＜変形例＞
なお、本発明は前記実施形態に限定されるものではなく、本発明の目的を達成できる範囲での変形、改良等は本発明に含まれるものである。
【０１０４】
例えば、使用者がご飯類としてカレーライスを好む場合の嗜好情報を表４に示したが、この嗜好情報としての各食品類の分量は、これに限らない。例えば、食事の摂取量が多い使用者であれば、嗜好情報としての各食品類の分量を表４に示した各食品類の分量より多くしてもよい。
また、主食、副食、副食調理方法、飲料、野菜摂取量、間食、食事満足度、運動量の順番に実食事内容情報を推測したが、これに限らず、例えば、逆の順番で実食事内容情報を推測してもよい。
【０１０５】
＜電子機器＞
図２０は、情報処理装置１０を備えた情報携帯端末１０００（ＰＤＡ：Personal  Digital  Assistants）である。
この情報携帯端末１０００は、入力部１０３および出力部１０４を備え、タッチペン１０９を用いて入力部１０３から入力を行うことで、使用者の食事管理に利用できる。
【０１０６】
図２１は、使用者から入力された実食事内容情報、運動量情報を含む入力情報の一覧を示す図である。これらの入力情報が、使用者から入力部１３を介して入力されてよい。他の実施例として、生活習慣に関する情報（睡眠、服薬、就業等）もあわせて入力部１３を介して入力され、これらの情報を考慮して、制御部１１又はサーバ２０が、図２２から図２５に示す結果情報を、出力部１４に出力する態様であってもよい。
【０１０７】
図２２から図２５は、比較結果画像情報を含む出力結果の一例を示す図である。図２２に示すように、制御部１１又はサーバ２０が入力された情報に基づいて、自動的に統計処理を行い、グラフ化した画像を出力部１４に出力する態様であってよい。これにより、使用者は、食傾向や、食品の摂取状況を把握することができる。このような管理を、一週間や一ヶ月といった所定期間の傾向として把握することができる。さらに、食事時間や運動時間を所定期間管理することで、食事摂取時間や運動の量を管理することが可能となる。
【０１０８】
例えば、図２２に示すように、摂取したおかずを料理ごとの割合で示した円グラフを表示したり、調理方法の割合を円グラフで示してよい。調理方法については、全ての料理の味を含む調理方法を示してもよいし、所定の料理（例えば、卵料理）の調理方法を示してもよい。
【０１０９】
例えば、図２３に示すように、主食の種類、乳製品の摂取の有無、食事時間の傾向、主菜の種類、主菜調理方法、食事の満足度を円グラフで示してよい。これは所定期間として、１ヶ月間の摂取状況の結果であってよい。
【０１１０】
例えば、ある使用者の運動量が、図２５の２つのグラフに示す傾向がみられた場合には、これらの運動量の出力結果に応じて、アドバイス情報が出力されてもよい。すなわち、図２５の左のグラフの結果になった場合には、「中断が長いことがある。患者の主観ではあるがむらこそあれ運動しているようだ」と分析され、図２５の右のグラフの結果になった場合には、「記録がとぎれて、脱落しそうである。どうも運動量が足りないようだ。脱落防止のためにコンサルテーションが必要」など、アドバイス情報が出力されてもよい。アドバイス情報の選択は、予め、所定のアドバイス情報と、サンプルとなるグラフ出力が関係付けられており、所定のグラフが出力された場合に、そのグラフと類似したサンプルとなるグラフを抽出して、この類似したサンプルとなるグラフに関係付けられたアドバイス情報を出力する態様であってよい。
【０１１１】
本発明の好適な実施形態では、「生活支援から医療まで」のシステムのうち基本的にインターネット環境の下で実現可能で取り扱いの簡便な福祉看護に関するもので適用できる。この場合、特別の道具を必要としない受益者に負担のないもので、提供者が製作するソフトウェアのみであるというシステムコンセプトが背後に貫かれている。そのために、基本的にはネットワークにパソコンを接続し、システム起動と稼働による結果の享受を通して日常生活から看護に関する支援が可能である。また、医療専門家からのアドバイスや患者の情報共有については携帯電話からの入力や操作にも十分に対応できる。すなわち、遠隔地から、画像、音声の完全な情報交換が自然な形で行える。
【０１１２】
この際、上述したＰＤＡ（データ端末)、Ｅ−ｍｏｂｉｌｅなどで、簡潔入力による食傾向・運動・睡眠・規則性・喫煙・飲酒など生活習慣の把握のために，入力後即座に図示された結果を参照しながら、医療者側も担当患者のデータをもとに時間と場所を問わず、自らと患者の都合に従ってアドバイスを与えることができる。したがって、生活習慣の把握だけでなく、これに基づいた医療福祉従事者の生活指導やリハビリテーション指導が遠隔地から対象者の家庭で家族と協力して行える。また、医師等による直接的な指導が、端末を介して可能なので、これを用いて、前述の生活指導や栄養指導についての効用がある。
【０１１３】
本発明の好適な実施形態では、インターネット環境があれば、病院・自宅にかかわらず、世界中どこからでも、同じ条件で使用できる。この場合の生活管理総合システムの稼働環境は通常のインターネットのホームページなので、特別なソフトウェアのインストールが不要である態様で使用できる。従って、上記の通信端末以外にユーザは特別な装置と費用を要しない。さらに、生活管理のために詳細な生活データを用いることなく、概略分類から使用者の生活習慣を捉えようとするところにある。そのため、ユーザは日常生活を基準として、自らの食状況をはじめ運動、睡眠などの主観的生活行動を入力する。入力に用いる選択肢は「絵と文字が一体化」したアイコンで、これを次々とクリックしていくとデータの入力が終了する。使用者は細かく分類された項目から選び出す必要がないので入力時の心理的負担も少なく、１〜２分ですべての入力操作が終了し、データは自動処理され、まとまった「任意の期間」について得られる結果を即時確認することができる。
【０１１４】
本発明の好適な実施形態では、健常者、未病者を含めた患者のケアに重点を置いた社会的ニーズに従った広範囲にわたる生活支援のためのシステムである。したがって、日常的に継続性を維持でき、簡便に利用できる本情報処理装置及びシステムは、今後の生活支援における実用性と有用性を多くの機会を捉えて広く検証、応用することが想定される。
【図面の簡単な説明】
【０１１５】
【図１】本発明の第１実施形態に係る情報処理装置の構成を示すブロック図である。
【図２】前記実施形態主食に関する画像データを示す図である。
【図３】副食に関する画像データを示す図である。
【図４】副食調理方法に関する画像データを示す図である。
【図５】飲料に関する画像データを示す図である。
【図６】野菜摂取量に関する画像データを示す図である。
【図７】間食に関する画像データを示す図である。
【図８】食事満足度に関する画像データを示す図である。
【図９】運動量に関する画像データを示す図である。
【図１０】前記実施形態に係る情報処理装置の動作を示すフローチャートである。
【図１１】前記実施形態に係る情報処理装置の主食に関する実食事内容情報を推測する際の動作を示すフローチャートである。
【図１２】前記実施形態に係る情報処理装置の副食に関する実食事内容情報を推測する際の動作を示すフローチャートである。
【図１３】前記実施形態に係る情報処理装置の副食調理方法に関する実食事内容情報を推測する際の動作を示すフローチャートである。
【図１４】前記実施形態に係る情報処理装置の飲料に関する実食事内容情報を推測する際の動作を示すフローチャートである。
【図１５】前記実施形態に係る情報処理装置の野菜摂取量に関する実食事内容情報を推測する際の動作を示すフローチャートである。
【図１６】前記実施形態に係る情報処理装置の間食に関する実食事内容情報を推測する際の動作を示すフローチャートである。
【図１７】前記実施形態に係る情報処理装置の食事満足度に関する実食事内容情報を推測する際の動作を示すフローチャートである。
【図１８】前記実施形態に係る情報処理装置の運動量に関する実食事内容情報を推測する際の動作を示すフローチャートである。
【図１９】本発明の第２実施形態に係る食事自己管理システムの構成を示すブロック図である。
【図２０】前記情報処理装置を用いた電子機器の図である。
【図２１】使用者から入力される情報の一覧を示す図である。
【図２２】比較結果画像情報を含む結果の一例を示す図である。
【図２３】比較結果画像情報を含む結果の一例を示す図である。
【図２４】比較結果画像情報を含む結果の一例を示す図である。
【図２５】結果画像情報の一例を示す図である。
【符号の説明】
【０１１６】
１    食事自己管理システム
１０、１０Ａ    情報処理装置
１１    制御部
１２    記憶部
１３    入力部
１４    出力部
１５    通信部
２０    サーバ
３０    医師端末
４０    通信回線ネットワーク
【図１】
2008004088.tif 000016
【図２】
2008004088.tif 000017
【図３】
2008004088.tif 000018
【図４】
2008004088.tif 000019
【図５】
2008004088.tif 000020
【図６】
2008004088.tif 000021
【図７】
2008004088.tif 000022
【図８】
2008004088.tif 000023
【図９】
2008004088.tif 000024
【図１０】
2008004088.tif 000025
【図１１】
2008004088.tif 000026
【図１２】
2008004088.tif 000027
【図１３】
2008004088.tif 000028
【図１４】
2008004088.tif 000029
【図１５】
2008004088.tif 000030
【図１６】
2008004088.tif 000031
【図１７】
2008004088.tif 000032
【図１８】
2008004088.tif 000033
【図１９】
2008004088.tif 000034
【図２０】
2008004088.tif 000035
【図２１】
2008004088.tif 000036
【図２２】
2008004088.tif 000037
【図２３】
2008004088.tif 000038
【図２４】
2008004088.tif 000039
【図２５】
2008004088.tif 000040